(57)【特許請求の範囲】
【請求項１】
電力系統の線路電圧を調整するタップ付変圧器と、負荷中心点電圧が基準電圧となるように所定の不感帯レベルを有してタップ付変圧器に対してタップ切換指令を出力する電圧調整リレーとからなるステップ電圧制御装置と、
前記ステップ電圧制御装置の下流側の線路と直列に接続された直列変圧器と、この線路から電力を受けて直列変圧器に無効電力ないし有効電力を出力し直列変圧器の出力電力を制御する電力変換器とからなる直列型電圧制御装置とを備え、
直列型電圧制御装置に不感帯レベルを設け、この直列型電圧制御装置は、ステップ電圧制御装置の２次側の電圧と、負荷中心点までの線路インピーダンスおよび線路電流から負荷中心点の電圧を算出し、この負荷中心点電圧が基準電圧と等しく、且つ出力電圧の位相をステップ電圧制御装置の２次側位相と同相となるように出力電圧を制御すると共に、求められた負荷中心点の電圧の基準電圧に対する電圧偏差を求め、この電圧偏差が前記ステップ電圧制御装置の不感帯レベル以下の場合出力電圧を零とし、ステップ電圧制御装置の電圧偏差の大きさが不感帯レベル内の場合に、直列型電圧制御装置の電圧変動補償能力が損なわれるのを防止するよう制御することを特徴とする電力系統の電圧制御方式。
【請求項２】
直列型電圧制御装置の不感帯レベルをステップ電圧制御装置の不感帯レベルと等しくしたことを特徴とする請求項１記載の電力系統の電圧制御方式。
【請求項３】
ステップ電圧制御装置とこれと協調制御される直列電圧制御装置が、線路の複数個所にそれぞれ設置されていることを特徴とする請求項１又は２記載の電力系統の電圧制御方式。
【請求項４】
直列型電圧制御装置の停止に対する不感帯レベルをステップ電圧制御装置の不感帯レベルと同じくし、起動に対する不感帯レベルはそれより高めに設定し、停止・起動の繰り返しを防止することを特徴とする請求項１乃至３記載の電力系統の電圧制御方式。
【請求項５】
１台のステップ電圧制御装置に対し、これと協調制御される直列型電圧制御装置を複数台直列に設置したことを特徴とする請求項１乃至４記載の電力系統の電圧制御方式。
【発明の詳細な説明】
【０００１】
【発明の属する技術分野】
この発明は、電力系統の送電線や配電線の電圧制御するタップ付変圧器を用いたステップ電圧制御装置（ＳＶＲ装置）と直列変圧器とこの変圧器に出力する電力変換器からなる直列型電圧制御装置（直列型ＳＶＣ装置）とを協調制御する電力系統の電圧制御方式に関するものである。
【０００２】
【従来の技術】
従来電圧制御方式について説明する。なお、文中、基準電圧Ｖref以外の電圧，電流はベクトル値である（ベクトル記号省略）。
【０００３】
（１）ＳＶＲ装置による電圧制御
配電線の一般的な電圧制御装置としてＳＶＲ装置（以下ＳＶＲという）が使われている。ＳＶＲの本体はタップ付変圧器であり、そのタップを電圧調整リレー（９０リレー）により電圧制御を行う。
【０００４】
図９にＳＶＲの構成を、図１０にＳＶＲの制御方法を示す。ＳＶＲにタップ制御指令を出力する９０リレーは、ＳＶＲの２次電圧Ｖ2，２次電流Ｉを取り入れ、線路の負荷中心ａまでの線路の抵抗値Ｒおよびリアクタンス値Ｘを用いて負荷中心点ａの電圧ＶLの大きさを求め、この電圧が負荷中心点の基準電圧Ｖrefに近づくようにＳＶＲ本体へタップ制御（上げ、下げ）指令を出力する。
【０００５】
【数１】
0003853072.tif 000002
【０００６】
具体的には、「数１」式を演算し、△Ｖが不感帯幅を越えた量に対して積分回路１１で時間積分し、その積分値が動作時間整定値に達したときに１タップ動作制御（上げ，下げ）指令を出力する。なお、負荷中心点ａの位置は線路の抵抗分％Ｒ，リアクタンス分％Ｘの整定により決める。
【０００７】
負荷Ｌの投入などによる急激な電圧変化に対して、ＳＶＲによる電圧変動補償は分単位の制御時間を要する。このため、負荷投入直後から一定期間は図１１の波線に示すように配電線の電圧は変動する。
【０００８】
しかし、ＳＶＲは変圧器のタップを機械的に切替えて電圧制御するので、電動機の始動電流などによる急激な電圧変化に対して応動できない。
【０００９】
（２）直列型ＳＶＣ装置による電圧制御
半導体素子を用いた電力変換装置により無効電力または有効電力を高速に制御して系統電圧を調整する装置の一例として、自励式インバータ，コンバータを適用直列型ＳＶＣ装置が知られている。
【００１０】
直列型ＳＶＣ装置（以下直列型ＳＶＣという）は図１２に示すように、配電線に接続された並列変圧器Ｔａと直列変圧器Ｔｂおよび変圧器Ｔａ，Ｔｂ間に接続された自励式コンバータＣＯＮＶと自励式インバータＩＮＶとからなり、直列変圧器Ｔｂに自励式インバータＩＮＶから制御電圧Ｖｃを加えて、この直列型ＳＶＣの２次側電圧を制御することによって配電線の電圧Ｖ2を制御する。電圧制御の目的から、この直列型ＳＶＣによる制御電圧Ｖｃは１次側の電圧Ｖ1と同相になるように制御する。
【００１１】
このような制御電圧Ｖｃを発生させるため、自励式インバータＩＮＶ側から直列変圧器Ｔｂを介して系統側へ有効，無効電力Ｐ，Ｑを供給または吸引しなければならない。この有効電力は並列変圧器Ｔａ，自励式インバータＩＮＶにより系統側から供給または吸収する。
【００１２】
直列型ＳＶＣはその１次側電圧Ｖ1と２次側の電流Ｉを自励式インバータＩＮＶの制御回路に入力して電圧制御を行う。この電圧制御は図１３に示すように、電圧Ｖ1を基準電圧にして、これと反対位相の電圧Ｖｃを発生させる。発生電圧Ｖｃの大きさは、ＳＶＣ装置の２次側電圧Ｖ2から求めた負荷中心点ａの電圧Ｖ2の大きさが基準電圧Ｖｒｅｆになるように制御する。
【００１３】
【数２】
0003853072.tif 000003
【００１４】
直列型ＳＶＣは高速応答できるので、急激な電圧変動に対しても電圧変動補償が可能である。
【００１５】
【発明が解決しようとする課題】
上記ＳＶＲ装置は秒単位の急激な電圧変動に対して電圧変動を補償できないが、分単位の緩慢な電圧変動は補償できる。また上記直列型ＳＶＣ装置はいずれの電圧変動に対しても電圧変動補償できる。しかし、既設のＳＶＲ装置を直列型ＳＶＣ装置に取換えることは経済的でない。
【００１６】
この発明は、上記課題に鑑みてなされたものであり、その目的とするところは、既設のＳＶＲ装置を有効利用または、直列型ＳＶＣ装置の所要容量の低減しうるように、ＳＶＲ装置と直列型ＳＶＣ装置とを併用し、緩慢な電圧変動に対してはＳＶＲ装置だけで補償し、急激な電圧変動に対してはＳＶＲ装置で不足する補償電圧を直列型ＳＶＣ装置で補完する電力系統の電圧制御方式を提供することにある。
【００１７】
【課題を解決するための手段】
この発明の電力系統の制御方式は、電力系統の線路電圧を調整するタップ付変圧器と、負荷中心点電圧が基準電圧となるように所定の不感帯レベルを有してタップ付変圧器に対してタップ切換指令を出力する電圧調整リレーとからなるステップ電圧制御装置と、
前記ステップ電圧制御装置の下流側の線路と直列に接続された直列変圧器と、この線路から電力を受けて直列変圧器に無効電力ないし有効電力を出力し直列変圧器の出力電力を制御する電力変換器とからなる直列型電圧制御装置とを備え、
直列型電圧制御装置に不感帯レベルを設け、この直列型電圧制御装置は、ステップ電圧制御装置の２次側の電圧と、負荷中心点までの線路インピーダンスおよび線路電流から負荷中心点の電圧を算出し、この負荷中心点電圧が基準電圧と等しく、且つ出力電圧の位相をステップ電圧制御装置の２次側位相と同相となるように出力電圧を制御すると共に、求められた負荷中心点の電圧の基準電圧に対する電圧偏差を求め、この電圧偏差が前記ステップ電圧制御装置の不感帯レベル以下の場合出力電圧を零とし、ステップ電圧制御装置の電圧偏差の大きさが不感帯レベル内の場合に、直列型電圧制御装置の電圧変動補償能力が損なわれるのを防止するよう制御することを特徴としたものである。
【００１９】
また、ステップ電圧制御装置とこれと協調制御される直列電圧制御装置が、線路の複数個所にそれぞれ設置されていることを特徴としたものである。
【００２０】
また、直列電圧制御装置の不感帯レベルはステップ電圧制御装置の不感帯レベルとする。または、直列電圧制御装置の停止に対する不感帯レベルはステップ電圧制御装置の不感帯レベルと同じくし、起動に対する不感帯レベルはそれより高くするのがよい。
【００２１】
ステップ電圧制御装置とこれと協調制御される直列型電圧制御装置は、線路の複数個所にそれぞれ設けることができる。または、１台のステップ電圧制御装置に対し、これと協調制御される直列型電圧制御装置を複数台直列に設置することができる。
【００２２】
【発明の実施の形態】
以下本発明の実施の形態について説明する。なお、文中基準電圧Ｖref以外の電圧、電流はベクトル値である（ベクトル記号省略）。
【００２３】
実施の形態１
図１について、ＳＶＲ装置（以下単にＳＶＲという）と直列ＳＶＣ装置（以下単に直列ＳＶＣという）はそれぞれ従来図９，図１０と図１２に示したものと同様に構成されており、直列ＳＶＣはＳＶＲの２次側に近接設置されている。なお、図中、ａは負荷中心点、Ｌは急激な電圧変動をもたらす負荷を示す。
【００２４】
定常状態の緩慢な電圧変動に対しては、ＳＶＲだけで変動を補償し、急激な電圧変動に対してのみ直列型ＳＶＣを応動させる、ＳＶＲと直列型ＳＶＣの協調制御を行う。
【００２５】
上記ＳＶＲと直列型ＳＶＣの協調制御方法について説明する。
【００２６】
ＳＶＲは、その２次側電圧Ｖ2、電流Ｉを電圧調整リレー（図示省略）へ入力し、定常状態や日負荷曲線のような変化の緩やかな負荷による電圧変動に対して、負荷中心点ａの電圧ＶLを常時ほぼ基準電圧に制御する。
【００２７】
【数３】
0003853072.tif 000004
【００２８】
しかし、急激な負荷変化に対しては電圧変動を補償できない。
【００２９】
そこで、ＳＶＲの２次側に近接した直列型ＳＶＣに急激な電圧変動に対する補償分を補完させる。すなわち、図２に示すように、直列型ＳＶＣはその２次側電圧Ｖ3から見た負荷中心点ａの電圧ＶLが基準電圧Ｖrefになるように、１次側の電圧と同相の電圧Ｖｃを発生するように制御する。ただし、直列型ＳＶＣとＳＶＲの負荷中心点の位置ａ及び基準電圧Ｖrefは同じ値とする。
【００３０】
図３，図４について、具体的には、直列ＳＶＣはＳＶＲと協調をとるため、ＳＶＲの２次側の電圧Ｖ2（＝直列型ＳＶＣの１次側電圧）から算出した負荷中心点ａの電圧ＶLと基準電圧Ｖrefを比較し、ＳＶＲの２次側電圧Ｖ2に対して過不足している電圧を直列型ＳＶＣで補償する。
【００３１】
【数４】
0003853072.tif 000005
【００３２】
すなわち、「数４」式を満たすような電圧Ｖｃを発生させる。（ただし、この電圧位相は直列型ＳＶＣの１次側の電圧Ｖ2と同相に制御する）
ＳＶＣの２次側からみた負荷中心点ａの電圧ＶLが基準電圧Ｖrefになるように制御するので、「数４」式から「数５」式が得られる。
【００３３】
【数５】
0003853072.tif 000006
【００３４】
【数６】
0003853072.tif 000007
【００３５】
「数５」式をｄｑ変換すると「数６」式となる。負荷中心点の電圧ＶLは基準電圧Ｖrefになるように制御されるので、「数７」式が成立する。
【００３６】
【数７】
Ｖrefｄ＝ＶLｄ  ，  Ｖｑ＝ＶLｑ
また、直列型ＳＶＣの１次側電圧Ｖ2を基準ベクトル（ｄ軸成分が零）にして、直列ＳＶＣの電圧Ｖｃを同相に制御するので、「数８」式が成立する。
【００３７】
【数８】
Ｖ2ｄ＝０  ，  Ｖｃｄ＝０
よって、「９式」の電圧Ｖｃｑが発生する。
【００３８】
【数９】
0003853072.tif 000008
【００３９】
実施の形態２
上記実施の形態１のように直列型ＳＶＣを制御すれば、ＳＶＲの不感帯内においても常時、直列型ＳＶＣは電圧を発生することとなり、急峻な電圧変動に対する直列型ＳＶＣの電圧変動補償能力がその分損なわれてしまう。
【００４０】
実施の形態２は、直列型ＳＶＣにもＳＶＲ同様に不感帯を設け上記電圧変動補償能力が損なわれないようにしたものである。
【００４１】
すなわち、ＳＶＲと同様に、ＳＶＲの１次側電圧Ｖ2から負荷中心点の電圧ＶLを前記「数３」により求め、基準電圧Ｖrefに対する電圧偏差△Ｖ
【００４２】
【数１０】
0003853072.tif 000009
【００４３】
の大きさが不感帯レベル（通常１〜３％）以下になると、直列型ＳＶＣの出力電圧を零にする。（ただし、ＳＶＲと直列型ＳＶＣの不感帯レベルと負荷中心点の位置％Ｒ，％Ｘは同じとする）
このようにすれば、ＳＶＲの電圧調整リレー（図示省略）において、電圧偏差△Ｖの大きさが不感帯レベル内の場合は、直列型ＳＶＣの発生電圧は零になるので、急激な電圧変動に対して直列型ＳＶＣの電圧変動補償能力が損なわれることを防止できる。
【００４４】
実施の形態３
上記実施の形態２において、電圧偏差△Ｖが不感帯レベル（１〜３％）の限界にある場合、僅かな電圧変動などで、直列型ＳＶＣの停止・起動（電圧偏差が不感帯レベル内で停止，不感帯レベル以上では起動）を繰り返す。
【００４５】
亘長の長い配電線では、複数台のＳＶＲが設置されており、同様な方法で設置されており、上記実施の形態１または２によりＳＶＲと直列型ＳＶＣとの協調制御を行うと、ＳＶＲの台数だけ直列型ＳＶＣが設置される（図５）。
【００４６】
上記のように不感帯レベル限界で直列型ＳＶＣが停止・起動を繰返すと、他の直列型ＳＶＣの電圧偏差にも影響を与え、同様に停止・起動を繰り返すことがある。
【００４７】
実施の形態３は、上記複数台のＳＶＲと直列型ＳＶＲが設置されている場合（図５）、図６に示すように、直列ＳＶＣの停止に対する不感帯レベルＶＬ１はＳＶＲの不感帯レベルと同じにするが、直列ＳＶＣの起動に対する不感帯レベルＶＬ２はこれより高めに設定して、上記停止・起動の繰り返しを防止する。
【００４８】
実施の形態４
実施の形態４は、直列型ＳＶＣの容量が不足する場合、これを複数台用いてＳＶＲと協調制御するものである。図７に直列型ＳＶＣを２台使用する例を示す。
【００４９】
図７について、２台の直列型ＳＶＣ１，ＳＶＣ２とも、その２次側電圧Ｖ3，Ｖ4から見た負荷中心点ａの電圧ＶLが基準電圧Ｖrefになるように、電圧をＶｃ1，Ｖｃ2を発生させる。それら発生電圧Ｖｃ1，Ｖｃ2の位相は、それぞれ１次側電圧と同相となるように制御する。
【００５０】
直列型ＳＶＣ１，ＳＶＣ２の不感帯レベルは、１次側の電圧から求め、停止レベルはＳＶＲの不感帯レベルと同じ値とし、起動レベルはこれより高めの値とする。
【００５１】
このようにすれば、直列型ＳＶＣ１はその２次側電圧Ｖ3からみた負荷中心点の電圧ＶLを基準電圧Ｖrefに維持するに必要な発生電圧を出力し、その１次側電圧Ｖ2からみた負荷中心点の電圧の基準電圧に対する電圧偏差がＳＶＲと同じ不感帯レベル内になれば停止する。
【００５２】
直列型ＳＶＣ１で発生する電圧が足りなければ、ＳＶＣ２の１次側からみた電圧偏差が不感帯内になるので、更にＳ直列型ＳＶＣ２で電圧を発生させ、この２次側からみた負荷中心点の電圧を基準電圧に維持する。このようにすれば、直列型ＳＶＣ１の容量不足を直列型ＳＶＣ２で補うことができる。
【００５３】
この発明のＳＶＲと直列型ＳＶＣとの協調制御方式の効果を図５に示すように、配電線に設置された３台のＳＶＲと直列型ＳＶＣに対してのシュミレーション効果から確認した。負荷条件は重負荷条件で、５００ｋｗの負荷脱落による電圧変動に対する補償性能を確認した結果を図８に示す。
【００５４】
図８では、５秒で５００ｋｗの負荷を脱落させたが、末端ノードの低圧線の電圧は殆ど変化していない。このように、ＳＶＲと直列型ＳＶＣは実施例１，２，３によって協調制御できることを確認した。
【００５５】
【発明の効果】
この発明は、上述のとおり構成されているので下記の効果を奏する。
【００５６】
（１）ＳＶＲ装置と直列型ＳＶＣ装置との協調制御ができる。
【００５７】
（２）既設のＳＶＲ装置を有効に利用し、ＳＶＲ装置で不足する補償電圧を直列型ＳＶＣ装置により補完できる。
【００５８】
（３）ＳＶＲ装置で不足する補償電圧を直列型ＳＶＣ装置で補完しているので、急激な電圧変動に対しても遅れのない電圧制御ができる。
【図面の簡単な説明】
【図１】実施の形態１にかかるＳＶＲと直列ＳＶＣの協調制御説明図。
【図２】協調制御ベクトル図。
【図３】直列型ＳＶＣの制御説明図。
【図４】直列型ＳＶＣのベクトル図。
【図５】実施の形態３にかかる複数ＳＶＲと直列ＳＶＣの設置位置説明図。
【図６】直列型ＳＶＣの動作説明図。
【図７】実施の形態４にかかるＳＶＲと複数直列型ＳＶＲの協調制御説明図。
【図８】ＳＶＲと直列ＳＶＣの協調制御による電圧変動補償性能を示すタイムチャート。
【図９】従来例にかかるＳＶＲの構成説明図。
【図１０】ＳＶＲの制御説明図。
【図１１】ＳＶＲによる電圧制御説明図。
【図１２】従来例にかかる直列型ＳＶＣの構成説明図。
【図１３】直列型ＳＶＣのベクトル図。
【符号の説明】
ＳＶＲ…ＳＶＲ装置（ステップ電圧制御装置）
ＳＶＣ…直列型ＳＶＣ装置（直列型電圧制御装置）
Ｖｃ…ＳＶＣの発生電圧（制御電圧、補償電圧）
ａ…配電線の負荷中心点
Ｒ…ＳＶＣと負荷中心点間の配電線の抵抗分
Ｘ…ＳＶＣと負荷中心点間の配電線のリアクタンス分
Ｖ1，Ｖ2，Ｖ3…配電線の各部電圧
ＶL…負荷中心点の電圧
Ｖref…基準電圧
Ｉ…配電線の電流
【図１】
0003853072.tif 000010
【図２】
0003853072.tif 000011
【図３】
0003853072.tif 000012
【図４】
0003853072.tif 000013
【図５】
0003853072.tif 000014
【図６】
0003853072.tif 000015
【図７】
0003853072.tif 000016
【図８】
0003853072.tif 000017
【図９】
0003853072.tif 000018
【図１０】
0003853072.tif 000019
【図１１】
0003853072.tif 000020
【図１２】
0003853072.tif 000021
【図１３】
0003853072.tif 000022